【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
閲覧対象を検索するためのキーワードである１以上の操作情報、または閲覧対象への操作の操作情報のうちの２以上の操作情報を受け付ける操作受付部と、
前記１以上の操作情報に含まれる注目オブジェクト情報を取得する、または前記２以上の操作情報を用いて、前記閲覧対象から２以上の注目オブジェクト情報を取得する注目オブジェクト取得部と、
地球上のオブジェクトのオブジェクト情報と当該オブジェクトの位置を示す位置情報とを有するオブジェクト総合情報を有する地図情報から、２以上の各注目オブジェクト情報と対になる位置情報を取得する位置取得部と、
前記２以上の各注目オブジェクトの位置情報に従った位置関係に応じて、前記２以上の各注目オブジェクト情報を配置した略地図を取得する略地図取得部と、
前記略地図を出力する略地図出力部とを具備する略地図出力装置。
【請求項２】
前記地図情報を出力する地図出力部と、前記地図情報に対する２以上の地図操作の操作列のパターンである地図操作チャンクが格納されるチャンク格納部をさらに具備し、
前記閲覧対象は、前記地図情報を含み、
前記注目オブジェクト取得部は、
前記操作受付部が受け付けた前記２以上の操作情報がマッチする前記地図操作チャンクを検出する操作チャンク検出手段と、
前記操作チャンク検出手段が前記地図操作チャンクを検出した場合に、出力されている前記地図情報が有するオブジェクト情報のうち、予め決められた条件を満たす注目オブジェクト情報を取得する注目オブジェクト取得手段とを具備する請求項１記載の略地図出力装置。
【請求項３】
ストリートビューを出力するストリートビュー出力部と、前記ストリートビューに対する２以上のストリートビュー操作の操作列のパターンであるストリートビュー操作チャンクが格納されるチャンク格納部をさらに具備し、
前記閲覧対象は、前記ストリートビューを含み、
前記注目オブジェクト取得部は、
前記操作受付部が受け付けた前記２以上の操作情報がマッチするストリートビュー操作チャンクを検出する操作チャンク検出手段と、
前記操作チャンク検出手段が前記ストリートビュー操作チャンクを検出した場合に、出力されている前記ストリートビューに対応する前記地図情報が有するオブジェクト情報のうち、予め決められた条件を満たす注目オブジェクト情報を取得する注目オブジェクト取得手段とを具備する請求項１記載の略地図出力装置。
【請求項４】
前記閲覧対象は、ウェブページを含み、
前記注目オブジェクト取得部は、 前記ウェブページを出力するためのキーワードに含まれるオブジェクト情報、および前記ウェブページに含まれるオブジェクト情報を取得する請求項１記載の略地図出力装置。 
【請求項５】
前記注目オブジェクト取得部は、
前記閲覧対象を用いてオブジェクト情報を取得するオブジェクト取得手段と、
前記閲覧対象への操作の操作情報を用いて、前記オブジェクト取得手段が取得した各オブジェクト情報が示すオブジェクトへの関心度を取得する関心度取得手段と、
前記関心度取得手段が取得した前記関心度が予め決められた条件を満たすほど大きいオブジェクトの注目オブジェクト情報を取得する注目オブジェクト取得手段とを具備する請求項１から請求項４いずれか一項に記載の略地図出力装置。
【請求項６】
前記オブジェクト総合情報は、前記オブジェクトの種類を示す種類情報を有し、
交通手段を識別する交通手段識別子と種類情報との組である交通手段判断情報が格納される交通手段格納部と、
前記注目オブジェクト情報に対応する、前記オブジェクトの種類を示す種類情報と対になる前記交通手段識別子を取得する交通手段取得部と、
前記交通手段取得部が取得した前記交通手段識別子で識別される前記交通手段に関連する交通手段関連情報を出力する交通手段関連出力部とをさらに具備する請求項１から請求項５いずれか一項に記載の略地図出力装置。 
【請求項７】
前記注目オブジェクト情報に対応するストリートビューを構成する画像を取得する、または前記注目オブジェクト情報をキーとして画像検索を行い、画像を取得する画像取得部と、
前記画像を、前記略地図に対応付けて出力する画像出力部とを具備する請求項1から請求項６いずれか一項に記載の略地図出力装置。
【請求項８】
前記略地図に含まれる前記注目オブジェクト情報に対応する前記関心度を出力する関心度出力部をさらに具備する請求項５記載の略地図出力装置。 
【請求項９】
閲覧対象を検索するためのキーワードである１以上の操作情報、または閲覧対象への操作の操作情報のうちの２以上の操作情報を受け付ける操作受付部と、
前記１以上の操作情報に含まれる注目オブジェクト情報を取得する、または前記２以上の操作情報を用いて、前記閲覧対象から注目オブジェクト情報を取得する注目オブジェクト取得部と、
地球上のオブジェクトのオブジェクト情報と当該オブジェクトの位置を示す位置情報とを有するオブジェクト総合情報を有する地図情報から、前記注目オブジェクト情報と対になる位置情報を取得する位置取得部と、
前記注目オブジェクト情報を配置した略地図を取得する略地図取得部と、
前記略地図を出力する略地図出力部とを具備する略地図出力装置。
【請求項１０】
コンピュータを、
閲覧対象を検索するためのキーワードである１以上の操作情報、または閲覧対象への操作の操作情報のうちの２以上の操作情報を受け付ける操作受付部と、 
前記１以上の操作情報に含まれる注目オブジェクト情報を取得する、または前記２以上の操作情報を用いて、前記閲覧対象から２以上の注目オブジェクト情報を取得する注目オブジェクト取得部と、 
地球上のオブジェクトのオブジェクト情報と当該オブジェクトの位置を示す位置情報とを有するオブジェクト総合情報を有する地図情報から、２以上の各注目オブジェクト情報と対になる位置情報を取得する位置取得部と、
前記２以上の各注目オブジェクトの位置情報に従った位置関係に応じて、前記２以上の各注目オブジェクト情報を配置した略地図を取得する略地図取得部と、
前記略地図を出力する略地図出力部として、機能させるためのプログラム。
【請求項１１】
コンピュータを、
閲覧対象を検索するためのキーワードである１以上の操作情報、または閲覧対象への操作の操作情報のうちの２以上の操作情報を受け付ける操作受付部と、 
前記１以上の操作情報に含まれる注目オブジェクト情報を取得する、または前記２以上の操作情報を用いて、前記閲覧対象から注目オブジェクト情報を取得する注目オブジェクト取得部と、 
地球上のオブジェクトのオブジェクト情報と当該オブジェクトの位置を示す位置情報とを有するオブジェクト総合情報を有する地図情報から、前記注目オブジェクト情報と対になる位置情報を取得する位置取得部と、
前記注目オブジェクト情報を配置した略地図を取得する略地図取得部と、
前記略地図を出力する略地図出力部として、機能させるためのプログラム。
【手続補正２】
【補正対象書類名】明細書
【補正対象項目名】０００５
【補正方法】変更
【補正の内容】
【０００５】
本第一の開示の略地図出力装置は、閲覧対象を検索するためのキーワードである１以上の操作情報、または１以上の閲覧対象への操作の操作情報のうちの２以上の操作情報を受け付ける操作受付部と、１以上の操作情報に含まれるオブジェクト情報である１以上の注目オブジェクト情報を取得する、または２以上の操作情報を用いて、閲覧対象から２以上の注目オブジェクト情報を取得する注目オブジェクト取得部と、地球上のオブジェクトのオブジェクト情報とオブジェクトの位置を示す位置情報とを有するオブジェクト総合情報を有する地図情報から、２以上の各注目オブジェクト情報と対になる位置情報を取得する位置取得部と、２以上の各注目オブジェクトの位置情報に従った位置関係に応じて、２以上の各注目オブジェクト情報を配置した略地図を取得する略地図取得部と、略地図を出力する略地図出力部とを具備する略地図出力装置である。
【手続補正３】
【補正対象書類名】明細書
【補正対象項目名】０００７
【補正方法】変更
【補正の内容】
【０００７】
また、本第二の開示の略地図出力装置は、第一の開示に対して、地図情報を出力する地図出力部をさらに具備し、閲覧対象は、地図情報を含む略地図出力装置である。
【手続補正４】
【補正対象書類名】明細書
【補正対象項目名】０００９
【補正方法】変更
【補正の内容】
【０００９】
また、本第三の開示の略地図出力装置は、第二の開示に対して、地図情報に対する２以上の地図操作の操作列のパターンである地図操作チャンクが格納されるチャンク格納部をさらに具備し、注目オブジェクト取得部は、操作受付部が受け付けた２以上の操作情報がマッチする地図操作チャンクを検出する操作チャンク検出手段と、操作チャンク検出手段が地図操作チャンクを検出した場合に、出力されている地図情報が有するオブジェクト情報のうち、予め決められた条件を満たす注目オブジェクト情報を取得する注目オブジェクト取得手段とを具備する略地図出力装置である。
【手続補正５】
【補正対象書類名】明細書
【補正対象項目名】００１１
【補正方法】変更
【補正の内容】
【００１１】
また、本第四の開示の略地図出力装置は、第一の開示に対して、ストリートビューを出力するストリートビュー出力部をさらに具備し、閲覧対象は、ストリートビューを含む略地図出力装置である。
【手続補正６】
【補正対象書類名】明細書
【補正対象項目名】００１３
【補正方法】変更
【補正の内容】
【００１３】
また、本第五の開示の略地図出力装置は、第四の開示に対して、ストリートビューに対する２以上のストリートビュー操作の操作列のパターンであるストリートビュー操作チャンクが格納されるチャンク格納部をさらに具備し、注目オブジェクト取得部は、操作受付部が受け付けた２以上の操作情報がマッチするストリートビュー操作チャンクを検出する操作チャンク検出手段と、操作チャンク検出手段がストリートビュー操作チャンクを検出した場合に、出力されているストリートビューに対応する地図情報が有するオブジェクト情報のうち、予め決められた条件を満たす注目オブジェクト情報を取得する注目オブジェクト取得手段とを具備する略地図出力装置である。
【手続補正７】
【補正対象書類名】明細書
【補正対象項目名】００１５
【補正方法】変更
【補正の内容】
【００１５】
また、本第六の開示の略地図出力装置は、第一の開示に対して、地図情報を出力する地図出力部と、ストリートビューを出力するストリートビュー出力部をさらに具備し、閲覧対象は、地図情報およびストリートビューを含む略地図出力装置である。
【手続補正８】
【補正対象書類名】明細書
【補正対象項目名】００１７
【補正方法】変更
【補正の内容】
【００１７】
また、本第七の開示の略地図出力装置は、第六の開示に対して、地図情報に対する地図操作およびストリートビューに対するストリートビュー操作の操作列のパターンであるマップ・ストリートビュー切替操作チャンクが格納されるチャンク格納部とをさらに具備し、注目オブジェクト取得部は、操作受付部が受け付けた２以上の操作情報がマッチするマップ・ストリートビュー切替操作チャンクを検出する操作チャンク検出手段と、操作チャンク検出手段がマップ・ストリートビュー切替操作チャンクを検出した場合に、出力された地図情報または出力されたストリートビューに対応する地図情報が有するオブジェクト情報のうち、予め決められた条件を満たす注目オブジェクト情報を取得する注目オブジェクト取得手段とを具備する略地図出力装置である。
【手続補正９】
【補正対象書類名】明細書
【補正対象項目名】００１９
【補正方法】変更
【補正の内容】
【００１９】
また、本第八の開示の略地図出力装置は、第一の開示に対して、閲覧対象は、ウェブページを含む略地図出力装置である。
【手続補正１０】
【補正対象書類名】明細書
【補正対象項目名】００２１
【補正方法】変更
【補正の内容】
【００２１】
また、本第九の開示の略地図出力装置は、第七の開示に対して、注目オブジェクト取得部は、ウェブページを出力するためのキーワードに含まれるオブジェクト情報、およびウェブページに含まれるオブジェクト情報を取得する略地図出力装置である。
【手続補正１１】
【補正対象書類名】明細書
【補正対象項目名】００２３
【補正方法】変更
【補正の内容】
【００２３】
また、本第十の開示の略地図出力装置は、第一から第九いずれか１つの開示に対して、注目オブジェクト取得部は、閲覧対象を用いて、オブジェクト情報を取得するオブジェクト取得手段と、閲覧対象への操作の操作情報を用いて、オブジェクト取得手段が取得した各オブジェクト情報が示すオブジェクトへの関心度を取得する関心度取得手段と、関心度取得手段が取得した関心度が予め決められた条件を満たすほど大きいオブジェクトの注目オブジェクト情報を取得する注目オブジェクト取得手段とを具備する略地図出力装置である。
【手続補正１２】
【補正対象書類名】明細書
【補正対象項目名】００２５
【補正方法】変更
【補正の内容】
【００２５】
また、本第十一の開示の略地図出力装置は、第一から第十いずれか１つの開示に対して、オブジェクト総合情報は、オブジェクトの種類を示す種類情報を有し、交通手段を識別する交通手段識別子と種類情報との組である交通手段判断情報が格納される交通手段格納部と、注目オブジェクト情報に対応する、前記オブジェクトの種類を示す種類情報と対になる交通手段識別子を取得する交通手段取得部と、交通手段取得部が取得した交通手段識別子で識別される交通手段に関連する交通手段関連情報を出力する交通手段関連出力部とをさらに具備する略地図出力装置である。
【手続補正１３】
【補正対象書類名】明細書
【補正対象項目名】００２７
【補正方法】変更
【補正の内容】
【００２７】
また、本第十二の開示の略地図出力装置は、第一から第十一いずれか１つの開示に対して、注目オブジェクト取得部が取得した注目オブジェクト情報に対応するストリートビューを構成する画像を取得する、または注目オブジェクト取得部が取得した注目オブジェクト情報をキーとして画像検索を行い、画像を取得する画像取得部と、画像を、略地図に対応付けて出力する画像出力部とを具備する略地図出力装置である。 
【手続補正１４】
【補正対象書類名】明細書
【補正対象項目名】００２９
【補正方法】変更
【補正の内容】
【００２９】
また、本第十三の開示の略地図出力装置は、第十の開示に対して、略地図に含まれる注目オブジェクト情報に対応する関心度を出力する関心度出力部をさらに具備する略地図出
力装置である。 
【手続補正１５】
【補正対象書類名】明細書
【補正対象項目名】００３１
【補正方法】変更
【補正の内容】
【００３１】
また、本第十四の開示の略地図出力装置は、閲覧対象を検索するためのキーワードである操作情報、または閲覧対象への操作の操作情報のうちの２以上の操作情報を受け付ける操作受付部と、操作情報に含まれるオブジェクト情報である注目オブジェクト情報を取得する、または２以上の操作情報を用いて、閲覧対象から注目オブジェクト情報を取得する注目オブジェクト取得部と、地球上のオブジェクトのオブジェクト情報と当該オブジェクトの位置を示す位置情報とを有するオブジェクト総合情報を有する地図情報から、注目オブジェクト情報と対になる位置情報を取得する位置取得部と、注目オブジェクト情報を配置した略地図を取得する略地図取得部と、略地図を出力する略地図出力部とを具備する略地図出力装置である。
【手続補正１６】
【補正対象書類名】明細書
【補正対象項目名】００９０
【補正方法】変更
【補正の内容】
【００９０】
（ステップＳ２０２）処理部３または出力部４は、指示に応じた処理を行い、ステップＳ２０１に戻る。かかる処理は、例えば、地図情報またはストリートビューを出力する指示である。
【手続補正１７】
【補正対象書類名】明細書
【補正対象項目名】００９４
【補正方法】変更
【補正の内容】
【００９４】
（ステップＳ２０６）処理部３は、ステップＳ２０４で取得した操作情報等を、格納部１に少なくとも一時蓄積し、ステップＳ２０１に戻る。
【手続補正１８】
【補正対象書類名】明細書
【補正対象項目名】０１０６
【補正方法】変更
【補正の内容】
【０１０６】
（ステップＳ３０５）操作チャンク検出手段３１１は、ｋ番目のチャンクがチャンク格納部１１２に存在するか否かを判断する。ｋ番目のチャンクが存在すれば、ステップ３０６に行き、存在しなければ、ステップ３１０に行く。
【手続補正１９】
【補正対象書類名】明細書
【補正対象項目名】０１２４
【補正方法】変更
【補正の内容】
【０１２４】
なお、図４のフローチャートにおいて、関心度取得手段３１３は、距離が最小（中心に最も近い）のオブジェクト情報に対してのみ、関心度（例えば、「１」）を付与しても良い。
【手続補正２０】
【補正対象書類名】明細書
【補正対象項目名】０１８５
【補正方法】変更
【補正の内容】
【０１８５】
略地図出力装置Ｂは、格納部５、受付部６、処理部７、および出力部８を備える。格納部５は、地図情報格納部１１１を備える。受付部６は、および操作受付部６１を備える。
【手続補正２１】
【補正対象書類名】明細書
【補正対象項目名】０１８８
【補正方法】変更
【補正の内容】
【０１８８】
出力部８は、ウェブページ出力部８１、交通手段関連出力部４３、画像出力部４４、関心度出力部４５、および略地図出力部４６を備える。
【手続補正２２】
【補正対象書類名】明細書
【補正対象項目名】０２１８
【補正方法】変更
【補正の内容】
【０２１８】
（ステップＳ１６１２）処理部７等は、アンカーへの指示に対応する処理を行い、ステップＳ１６０１に戻る。なお、指示に対応する処理とは、通常、アンカーに対応するウェブページの出力である。
【手続補正２３】
【補正対象書類名】明細書
【補正対象項目名】０２５５
【補正方法】変更
【補正の内容】
【０２５５】
また、図１９は、本明細書で述べたプログラムを実行して、上述した種々の実施の形態の略地図出力装置等を実現するコンピュータの外観を示す。上述の実施の形態は、コンピュータハードウェア及びその上で実行されるコンピュータプログラムで実現され得る。図１９は、このコンピュータシステム３００の概観図であり、図２０は、コンピュータシステム３００のブロック図である。
【手続補正２４】
【補正対象書類名】明細書
【補正対象項目名】０２６６
【補正方法】変更
【補正の内容】
【０２６６】
１、５  格納部
２、６  受付部
３、７  処理部
４、８  出力部
２１、６１  操作受付部
３１  注目オブジェクト取得部
３２  位置取得部
３３、７３  略地図取得部
３４  交通手段取得部
３５  画像取得部
４１  地図出力部
４２  ストリートビュー出力部
４３  交通手段関連出力部
４４  画像出力部
４５  関心度出力部
４６  略地図出力部
７１  ウェブページ検索部
７２  注目オブジェクト情報取得部
８１  ウェブページ出力部
１１１  地図情報格納部
１１２  チャンク格納部
１１３  交通手段格納部
３１１  操作チャンク検出手段
３１２、７２１  オブジェクト取得手段
３１３、７２２  関心度取得手段
３１４、７２３  注目オブジェクト取得手段
【手続補正２５】
【補正対象書類名】図面
【補正対象項目名】図１
【補正方法】変更
【補正の内容】
【図１】
2018025618.tif 000001